(57)【要約】【課題】外壁材を梁に簡単かつ確実に取り付ける取付け構造を提供する。【解決手段】外壁材（７）を建物外部側から建物内方向へ向けて移動させながら、その係止部材（２０）におけるスリット（２１）の開放端部から梁（１）側の垂直ボルト（３１）を差し入れると、スリット（２１）の拡張部（２２）に抜け止め部材（３５）が自動的に嵌合して、開放端部からの垂直ボルト（３１）の抜けが防止され、梁（１）側の垂直ボルト（３１）と外壁材（７）側の係止部材（２０）が係合する。これによって、外壁材（７）をワンタッチで確実に梁（１）に取り付けることができる。【選択図】　図１
2004060342.tif 000002
【特許請求の範囲】
【請求項１】
被取付け体側の棒状部材に、建築材側の係止部材を係合させて、建築材を被取付け体に取り付けるようにした建築材の取付け構造において、前記係止部材に、一端部が開放し、且つ、一部が拡張した棒状部材貫通用のスリットを形成するとともに、前記建築材を移動させながら前記係止部材のスリットの一端部から前記棒状部材を差し入れるときに、そのスリットの拡張部に嵌合してスリット一端部からの棒状部材の抜けを防止する抜け止め部材を、前記棒状部材に設けたことを特徴とする建築材の取付け構造。
【請求項２】
前記抜け止め部材の挿通孔に前記棒状部材を挿通させるようにして、前記抜け止め部材を、前記棒状部材に沿って移動自在に取り付けた請求項１記載の建築材の取付け構造。
【請求項３】
前記棒状部材に、前記抜け止め部材を前記拡張部に嵌合する方向へ付勢する付勢体を設けた請求項１又は２記載の建築材の取付け構造。
【請求項４】
前記抜け止め部材を前記係止部材との干渉を避ける待避位置に保持するストッパを設けて、前記建築材を移動させながら前記係止部材のスリットの一端部から前記棒状部材を差し入れるときに、前記ストッパが前記係止部材に押されて外れることで、前記の抜け止め部材の保持を解除するようにした請求項１乃至３のいずれかに記載の建築材の取付け構造。
【請求項５】
前記被取付け体が梁等の構造躯体であり、前記建築材が外壁材である請求項１乃至４のいずれかに記載の建築材の取付け構造。
【請求項６】
前記外壁材の裏面から突出した前記係止部材に、建物内外方向に沿って前記スリットを形成し、その建物内方向側の一端部が開放し、建物外方向側の他端部が拡張されている請求項５記載の建築材の取付け構造。
【請求項７】
建築材を被取付け体に取り付けるための取付け金具であって、前記被取付け体に取り付けられて、前記建築材側の係止部材のスリットを貫通する棒状部材と、その棒状部材に設けられて、前記建築材を移動させながら前記係止部材のスリットの開放端部から前記棒状部材を差し入れるときに、そのスリットの拡張部に嵌合してスリットの開放端部からの棒状部材の抜けを防止する抜け止め部材とを備えたことを特徴とする建築材の取付け金具。
【請求項８】
前記抜け止め部材を前記拡張部に嵌合する方向へ付勢する付勢体を設けた請求項７記載の建築材の取付け金具。
【請求項９】
前記抜け止め部材を前記係止部材との干渉を避ける待避位置に保持するストッパを設けて、前記建築材を移動させながら前記係止部材のスリットの開放端部から前記棒状部材を差し入れるときに、前記ストッパが前記係止部材に押されて外れることで、前記の抜け止め部材の保持を解除するようにした請求項７又は８記載の建築材の取付け金具。
【発明の詳細な説明】
【０００１】
【発明の属する技術分野】
この発明は、建築材の取付け構造及び取付け金具に関し、特に、カーテンウォール構造建築物において、その外壁材を梁等の構造躯体へ取り付けるための取付け構造及び取付け金具に係る。
【０００２】
【従来の技術】
一般に、カーテンウォール構造の建築物では、地震や強風による水平力を構造躯体の揺れによって吸収し、水平力を支持しない外壁材については、構造躯体の揺れに伴って回転するいわゆるロッキング機能を持たせるようにしている。
【０００３】
図８は、上記のようなカーテンウォール構造建築物における外壁材の取付け構造を示している。図において、（５０）は、構造躯体を構成する梁であって、この梁（５０）の上部フランジ（５１）に、板状の支持プレート（５２）がボルト（５３）によって固定されている。
【０００４】
（５４）は、梁（５０）の外側に取り付けられる外壁材であり、この外壁材（５４）の裏面側における上下端部には、ファスナー（５５）（５６）がそれぞれ固定されている。そして、下側の外壁材（５４）における上側ファスナー（５５）のボルト孔（６０）に、垂直ボルト（６１）が下側から挿入され、更にその先端が、梁（５０）側の支持プレート（５２）のボルト孔（６２）へ挿入されるとともに、雄ネジ部に螺合したナット（６３）で、下方に落下しないように支持している。更に、支持プレート（５２）よりも上方に突出する垂直ボルト（６１）先端のピン部（６５）が、上方に設置された別の外壁材（５４）の下側ファスナー（５６）のピン挿入孔（６４）に挿入されている。
【０００５】
このような取付け状態において、上側ファスナー（５５）を支持している垂直ボルト（６１）は、支持プレート（５２）のボルト孔（６２）内を摺動して上下に移動自在であり、また下側ファスナー（５６）が垂直ボルト（６１）のピン部（６５）に沿って上下に移動自在であることから、梁（５０）の揺れに追従して外壁材（５４）（５４）がそれぞれ斜めに傾くようにして回転するようになっている。
【０００６】
【発明が解決しようとする課題】
しかしながら、従来の上記構造においては、外壁材（５４）の取付けに際して、外壁材（５４）を所定位置に保持した状態で、支持プレート（５２）や上側ファスナー（５５）のボルト孔（６０）（６２）へ垂直ボルト（６１）を挿入したり、垂直ボルト（６１）にナット（６３）を螺合するといった面倒な作業が必要であった。
【０００７】
また、このような作業は、建物外部側からは外壁材（５４）が邪魔になって困難を要するので、主として建物内部側から行うようにしている。このため、建物の新築時においては、内壁材等の内装部材を施工する前に、外壁材（５４）を取り付けるようにすれば特に問題はないが、建物完成後において、経時劣化や損傷、リフォーム等により、外壁材（５４）を交換するような場合には、既に内装部材が施工されている状態にあるので、新しい外壁材（５４）の取付け作業に際しては、内装部材を取り壊すといった大掛かりな工事が必要となっていた。
【０００８】
この発明は、上記の不具合を解消して、外壁材等の建築材を構造躯体等の被取付け体に簡単かつ確実に取り付けることができ、建物完成後における外壁材の交換作業も簡単に済ますことができる建築材の取付け構造及び取付け金具の提供を目的とする。
【０００９】
【課題を解決するための手段】
上記の課題を解決するため、この発明の建築材の取付け構造は、被取付け体側の棒状部材に、建築材側の係止部材を係合させて、建築材を被取付け体に取り付けるようにしたものであり、前記係止部材に、一端部が開放し、且つ、一部が拡張した棒状部材貫通用のスリットを形成するとともに、前記建築材を移動させながら前記係止部材のスリットの一端部から前記棒状部材を差し入れるときに、そのスリットの拡張部に嵌合してスリット一端部からの棒状部材の抜けを防止する抜け止め部材を、前記棒状部材に設けたことを特徴とする。
【００１０】
そして、前記抜け止め部材の挿通孔に前記棒状部材を挿通させるようにして、前記抜け止め部材を、前記棒状部材に沿って移動自在に取り付けてある。
【００１１】
また、前記棒状部材に、前記抜け止め部材を前記拡張部に嵌合する方向へ付勢する付勢体を設けている。
【００１２】
さらに、前記抜け止め部材を前記係止部材との干渉を避ける待避位置に保持するストッパを設けて、前記建築材を移動させながら前記係止部材のスリットの一端部から前記棒状部材を差し入れるときに、前記ストッパが前記係止部材に押されて外れることで、前記の抜け止め部材の保持を解除するようにしている。
【００１３】
具体的には、前記被取付け体が梁等の構造躯体であり、前記建築材が外壁材とされていて、前記外壁材の裏面から突出した前記係止部材に、建物内外方向に沿って前記スリットを形成し、その建物内方向側の一端部が開放し、建物外方向側の他端部が拡張されている。
【００１４】
この発明の建築材の取付け金具は、被取付け体に取り付けられて、前記建築材側の係止部材のスリットを貫通する棒状部材と、その棒状部材に設けられて、前記建築材を移動させながら前記係止部材のスリットの開放端部から前記棒状部材を差し入れるときに、そのスリットの拡張部に嵌合してスリットの開放端部からの棒状部材の抜けを防止する抜け止め部材とを備えたことを特徴とする。
【００１５】
また、前記抜け止め部材を前記拡張部に嵌合する方向へ付勢する付勢体を設けている。さらに、前記抜け止め部材を前記係止部材との干渉を避ける待避位置に保持するストッパを設けて、前記建築材を移動させながら前記係止部材のスリットの開放端部から前記棒状部材を差し入れるときに、前記ストッパが前記係止部材に押されて外れることで、前記の抜け止め部材の保持を解除するようにしている。
【００１６】
【発明の実施の形態】
以下、この発明を図面に基づいて詳細に説明する。図１において、（１）は、この発明の被取付け体としてのＨ型鋼製の梁である。（２）は、板状の支持プレートであって、支持プレート（２）の一端部が、前記梁（１）の上部フランジ（３）上面に設置されて、ボルト（４）及びナット（５）によって固定されている。梁（１）よりも建物外方向側に突出する支持プレート（２）の他端部には、ボルト孔（６）が形成してある。
【００１７】
（７）（７）は、前記梁（１）よりも建物外方向側に取り付けられるこの発明の建築材としての外壁材であって、軽量コンクリート板その他のコンクリート板からなるものである。これらの外壁材（７）（７）の裏面には、図２に示すように、その上端部において、一対の略Ｌ字型の上側ファスナー（８）（８）が取り付けられ、下端部において、一対の略Ｌ字型の下側ファスナー（９）（９）が取り付けられている。
【００１８】
上側ファスナー（８）は、図１及び図３に示すように、外壁材（７）裏面に図示しないインサートナット及びボルト（１７）によって固定された垂直片（１３）と、その垂直片（１３）の上端部から建物内方向側へ突出する水平片（１４）と、この水平片（１４）の上面に張り合わされた補強片（１５）とからなる。そして、水平片（１４）と補強片（１５）によって、この発明の係止部材（２０）が構成されており、この係止部材（２０）には、スリット（２１）が建物内外方向に沿って形成されている。このスリット（２１）の建物内方向側の一端部は開放しており、建物外方向側の他端部には、略円形に拡張された拡張部（２２）が形成されている。
【００１９】
下側ファスナー（９）は、図１に示すように、外壁材（７）裏面に埋め込まれた横材（１０）にボルト（１１）及びナット（１２）によって固定された垂直片（２５）と、その垂直片（２５）の下端部から建物内方向側へ突出する水平片（２６）とからなる。そして、水平片（２６）には、ピン挿通孔（２７）が形成されている。
【００２０】
（３０）は、外壁材（７）（７）側のファスナー（８）（９）…を係合させて、外壁材（７）（７）を梁（１）に取り付けるための取付け金具であって、この取付け金具（３０）は、図４に示すように、棒状部材としての垂直ボルト（３１）を備えている。垂直ボルト（３１）は、その先端に雄ネジを有しない棒状のピン部（３２）が形成してあり、そのピン部（３２）が上向きで頭部（３３）が下向きになるようにして、支持プレート（２）のボルト孔（６）へ挿入されるとともに、雄ネジ部に螺合したナット（３４）で、下方に落下しないように支持プレート（２）に吊り下げ支持されている。
【００２１】
また、取付け金具（３０）は、係止部材（２０）におけるスリット（２１）の拡張部（２２）に対応して略円筒状に形成された抜け止め部材（３５）と、この抜け止め部材（３５）を下方へ付勢する付勢体としてのコイルバネ（３７）とを備えている。
【００２２】
抜け止め部材（３５）は、その中央の挿通孔（３８）に垂直ボルト（３１）が挿通された状態で、垂直ボルト（３１）に沿って上下動自在に取り付けられている。この抜け止め部材（３５）の上端部には、外方に張り出した鍔（３９）が形成されている。
【００２３】
コイルバネ（３７）も同様に、垂直ボルト（３１）が挿通された状態で、垂直ボルト（３１）に沿って上下動自在に取り付けられている。そして、このコイルバネ（３７）は、垂直ボルト（３１）を支持プレート（２）に吊り下げ支持した状態において、支持プレート（２）と抜け止め部材（３５）との間に介装されている。なお、（４０）は、垂直ボルト（３１）の頭部（３３）に載せられた座金である。
【００２４】
上記構成において、梁（１）への外壁材（７）（７）の取付けに際しては、まず梁（１）側の支持プレート（２）に、取付け金具（３０）の垂直ボルト（３１）を取り付けて、図５に示すように、頭部（３３）上の座金（４０）と抜け止め部材（３５）の鍔（３９）との間に、コイルバネ（３７）の付勢力に抗して抜け止め部材（３５）を押し上げるストッパ（４１）を取り付ける。このストッパ（４１）は、例えば角筒を略半割にした形状とされていて、その側面開口部（４２）が建物外方向側を向くようにして配置される。
【００２５】
この状態において、下側の外壁材（７）を建物外部側から建物内方向へ水平移動させて、その係止部材（２０）のスリット（２１）の一端部すなわち開放端部から垂直ボルト（３１）をスリット（２１）内へ差し入れる。このとき、抜け止め部材（３５）はストッパ（４１）によって係止部材（２０）とは干渉しない待避位置すなわち上方位置に保持されており、係止部材（２０）は、座金（４０）と抜け止め部材（３５）との間に押し込まれるようになっている。
【００２６】
このようにして係止部材（２０）が押し込まれると、図６に示すように、ストッパ（４１）が係止部材（２０）に押されて外れ、抜け止め部材（３５）が係止部材（２０）上に落下する。そして、係止部材（２０）を、そのスリット（２１）の拡張部（２２）と抜け止め部材（３５）とが一致する位置までさらに押し込むと、抜け止め部材（３５）が拡張部（２２）内に落下して嵌合し、これによってスリット（２１）を貫通した垂直ボルト（３１）の開放端部からの抜けが防止される。しかも、垂直ボルト（３１）の頭部（３３）は、係止部材（２０）の下面に当接しており、スリット（２１）からの垂直ボルト（３１）の上方への抜けも防止される。これによって、係止部材（２０）が垂直ボルト（３１）に係合した状態となる。このとき、抜け止め部材（３５）は、コイルバネ（３７）によって下方すなわち拡張部（２２）に嵌合する方向に付勢されているので、抜け止め部材（３５）が拡張部（２２）から外れ難く、係合状態を確実に維持することができる。
【００２７】
そして、このようにして下側の外壁材（７）を取り付けた後に、図１に示すように、上側の外壁材（７）を同様にして取り付けるが、このとき上側の外壁材（７）における下側ファスナー（９）のピン挿通孔（２７）へ、支持プレート（２）よりも上方に突出する垂直ボルト（３１）のピン部（３２）が挿入される。
【００２８】
このような取付け状態において、下側外壁材（７）を吊り下げる垂直ボルト（３１）は、支持プレート（２）のボルト孔（６）内を摺動して上下に移動可能であり、また上側外壁材（７）が垂直ボルト（３１）のピン部（３２）に沿って上下に移動自在であることから、梁（１）の揺れに追従して外壁材（７）（７）がそれぞれ斜めに傾くようにして回転して、ロッキング動作を許容している。
【００２９】
なお、この発明は、上記実施形態に限定されるものではなく、この発明の範囲内で上記実施形態に多くの修正及び変更を加え得ることは勿論である。
【００３０】
例えば、この発明は、外壁材の取り付けだけに限らず、例えば内壁材やその他外壁材以外の建築材の取り付けに適用しても良い。また、付勢体については、コイルバネに限らず、例えば板バネやゴム等を用いても良く、またストッパについても、上記実施形態のような角筒を半割状にしたものに限定されず、抜け止め部材を待避位置で保持でき、係止部材に押されて外れる構造のものであれば、どのような形状のものであっても良い。さらに、例えば抜け止め部材を自重等によってスリットの拡張部に嵌合させるようにすれば、付勢体を廃止しても良く、また、図７に示すように、例えば係止部材の押し込みによって抜け止め部材が自動的に押し上がって待避位置に移動するようなカム面構造とすれば、ストッパを廃止しても良い。
【００３１】
【発明の効果】
以上のように、この発明によれば、建築材を移動させて、その係止部材のスリットへ被取付け体側の棒状部材を差し入れるだけで、抜け止め部材がスリットの拡張部に自動的に嵌合して棒状部材の抜けが防止され、係止部材と棒状部材が互いに係合するようになっているので、建築材を被取付け体に対してワンタッチで簡単に取り付けることができる。従って、閉塞された部位に対して建築材を一方向からのアプローチして取り付ける構造として有効である。
【００３２】
特に、この取付け構造を、外壁材の梁等への取付けに適用し、例えば係止部材のスリットを建物内外方向に沿って形成して、その建物内方向側の端部を開放することで、外壁材を建物外部側から建物内方向へ向けて移動させるだけで、係止部材と棒状部材が互いに係合するようになり、建物内部側での面倒な作業をなくして、外壁材の構造躯体への取付け作業を簡単に行うことができる。
【００３３】
しかも、このように外壁材を建物外部から建物内方向への移動だけで取付け可能とすることで、既に内装部材が施工された状態にある建物完成後において、外壁材を交換する場合でも、従来のように内装部材を取り壊さずに新しい外壁材を建物外部側からワンタッチで取り付けることができ、外壁材の交換作業を簡単に済ますことができる。
【００３４】
また、付勢体によって抜け止め部材を拡張部に嵌合する方向へ付勢することで、抜け止め部材が拡張部から外れ難くなり、震動やがた付きが生じた場合でも、係止部材と棒状部材との係合状態を安定して維持して、建築材を確実に取り付けることができる。
【００３５】
さらに、ストッパによって抜け止め部材を一時的に待避位置に保持することで、係止部材と抜け止め部材との干渉をなくして、係止部材のスリットへ棒状部材をスムーズに差し入れることができ、作業性の向上を図ることができる。
【図面の簡単な説明】
【図１】この発明の一実施形態に係る外壁材の取付け構造を示す縦断面図である。
【図２】外壁材の裏面を示す図である。
【図３】上側ファスナーの斜視図である。
【図４】取付け金具の分解斜視図である。
【図５】外壁材の取付け動作途中を示す縦断面図である。
【図６】外壁材の取付け動作途中を示す縦断面図である。
【図７】係止部材の押し込みによって抜け止め部材が押し上がるカム面構造を示す縦断面図である。
【図８】従来の外壁材の取付け構造を示す縦断面図である。
【符号の説明】
（１）　梁（被取付け体）
（７）　外壁材（建築材）
（２０）　係止部材
（２１）　スリット
（２２）　拡張部
（３０）　取付け金具
（３１）　棒状部材（垂直ボルト）
（３５）　抜け止め部材
（３７）　付勢体（コイルバネ）
（３８）　抜け止め部材の挿通孔
（４１）　ストッパ
【図１】
2004060342.tif 000003
【図２】
2004060342.tif 000004
【図３】
2004060342.tif 000005
【図４】
2004060342.tif 000006
【図５】
2004060342.tif 000007
【図６】
2004060342.tif 000008
【図７】
2004060342.tif 000009
【図８】
2004060342.tif 000010